(57)【特許請求の範囲】
【請求項１】
グリル庫の前面開口に設けられ支軸を支点として上下方向に回動して片開き状に開閉するグリル扉と、
上記グリル庫内を進退方向にスライドしてグリル庫に出し入れする受皿と、
上記グリル扉の支軸と異なる位置の支点に回動自在に取り付けられ該支点からグリル庫の奥方向に延設されたアーム部が上記受皿の背面に当接し上記グリル扉の開閉動作と受皿の進退動作とを連動させる連結部材と、
上記受皿背面に設けられ上記連結部材のアーム部を係合する係合部と、
グリル庫側壁を受皿進退方向に延びた長孔状に開口し、上記グリル扉の全閉から全開までのストロークで上記連結部材のアーム部を上記受皿の係合部に係合するようにガイドするガイド孔とを備え、
上記ガイド孔の形成方向をグリル扉の開位置近傍のみ受皿進退方向から斜め下方に傾斜させることにより、受皿の引き出し途中で上記アーム部を傾斜部分に導いてアーム部と係合部との係合を解くと共に、この傾斜部分でアーム部を支えグリル扉を全開の状態で保持することを特徴とするグリル庫の扉開閉装置。
【発明の詳細な説明】
【０００１】
【発明の属する技術分野】
本発明はグリル庫内で魚等の調理品を加熱するガスグリルの扉開閉装置に関する。
【０００２】
【従来の技術】
従来より、ガステーブルこんろにおいては、中央部に魚等の調理品を加熱調理できるガスグリルを備え、調理品を焼網に載せたまま受皿を手前にスライドさせると、それに伴いガスグリルの扉が自動的に上に跳ね上がるため扉がじゃまにならず容易に調理品を取り出すことができるタイプのものが知られている。
例えば実開平５−４２９１２に開示されたガスグリルは、図６，図７，図８に示すように、調理品を載せる焼網１０と、焼網１０を載せたまま手前にスライドさせて引出す受皿１と、ガスを燃焼させて調理品を加熱するバーナ１５と、これらを収めるグリル庫５等から構成される。グリル庫５は、その底壁５ａにガイドレール６と、その前面開口側壁７にグリル扉２を備える。
グリル扉２の内側には、略Ｌ字状の連結部１２が両サイドに固定され、連結部１２の一端には連結部１２の回動支点となる支軸１１が、他端には軸孔１２ａが設けられる。支軸１１は、前面開口側壁７に軸止され、軸孔１２ａには、コの字状に折り曲げられたアーム部３の両端がはめ込まれる。アーム部３の中間の直線部３ｂに対応して、スライド方向に長孔形状のガイド孔３３をグリル庫側壁５ｂの奥部に開口し、直線部３ｂを挿通する。
グリル庫側壁５ｂの手前部には、引掛片１４が設けられ、このアーム部３の直線部３ｂと引掛片１４との間にバネ４を張り、アーム部３を介してグリル扉２を跳ね上げ方向に付勢する。受皿１の背面１ａには、アーム部３の直線部３ｂが当接し受皿１も引き出し方向に付勢される。グリル庫５入口の底壁５ａには、バネ４の付勢力により受皿１が手前に飛び出すのを規制し収納位置を確定する突起状のストッパー２０が設けられる。
バネ４は、受皿１が手前に引き出されグリル扉２を支軸１１を回転の支点として上方向へ跳ね上げた時、グリル扉２が下方向へ戻って閉じてしまうのを防ぎそのまま保持するだけの力が必要である。そのため、受皿１が所定位置まで引き出された地点で、所定力（グリル扉２の自重による荷重力以上）付勢しているように設計される。
こうした構成により、受皿１は、ガイドレール６に沿ってスライドし、それに伴ってグリル扉２０が自動的に開閉するので、グリル庫５への出し入れが容易にできるというものである。
【０００３】
【発明が解決しようとする課題】
しかしながら、跳ね上げたグリル扉２を安定して保持するためには、バネ４の付勢力を強くしておく必要があり、そうした場合、グリル扉２を閉じるために、その力に抗するように受皿１を押込まなくてはならない。特に、収納位置に近い程バネの引っ張り力が強くなり、それに勝る押力を加えなければならない。また、受皿１が収納位置から手前に飛び出さないように、ストッパー２０も設けられているため、構成が複雑になる。
本発明のグリル庫の扉開閉装置は、上記課題を解決し、簡易な構成でも良好な操作性を得ることを目的とする。
【０００４】
【課題を解決するための手段】
上記課題を解決する本発明の請求項１記載のグリル庫の扉開閉装置は、グリル庫の前面開口に設けられ支軸を支点として上下方向に回動して片開き状に開閉するグリル扉と、上記グリル庫内を進退方向にスライドしてグリル庫に出し入れする受皿と、上記グリル扉の支軸と異なる位置の支点に回動自在に取り付けられ該支点からグリル庫の奥方向に延設されたアーム部が上記受皿の背面に当接し上記グリル扉の開閉動作と受皿の進退動作とを連動させる連結部材と、上記受皿背面に設けられ上記連結部材のアーム部を係合する係合部と、グリル庫側壁を受皿進退方向に延びた長孔状に開口し、上記グリル扉の全閉から全開までのストロークで上記連結部材のアーム部を上記受皿の係合部に係合するようにガイドするガイド孔とを備え、上記ガイド孔の形成方向をグリル扉の開位置近傍のみ受皿進退方向から斜め下方に傾斜させることにより、受皿の引き出し途中で上記アーム部を傾斜部分に導いてアーム部と係合部との係合を解くと共に、この傾斜部分でアーム部を支えグリル扉を全開の状態で保持することを要旨とする。
【０００５】
上記構成を有する本発明のグリル庫の扉開閉装置は、受皿をスライドさせてグリル庫より出し入れする際、受皿のスライドに連動してグリル扉が自動的に開閉する。グリル扉は、グリル庫の前面開口で支軸を支点として上下方向に回動し片開き状に開閉する。受皿は、背面に設けられた係合部に連結部材のアーム部を係合することによりグリル扉を連動し、連結部材のアーム部は、グリル庫側壁に開口された長孔（ガイド孔）をスライドする。アーム部は、ガイド孔をスライドし、グリル扉は、その区間で全開から全閉まで連動して開閉する。この時、連結部材のアーム部をガイドしているガイド孔が開位置近傍のみ受皿進退方向から斜め下方に傾斜しているので、傾斜した部分に連結部材を導くことにより、グリル扉が全開となりさらにアーム部と係合部との係合が外れた時でも、連結部材からの荷重をガイド孔側壁で受けるようにして、連結部材が扉の自重程度の荷重では受皿閉方向へ戻らないようにできる。つまり、連結部材が開位置より自動的に移動してしまってグリル扉が閉じてしまうことが防止され、扉を全開の状態でそのまま保持することができる。そのため、受皿をグリル庫より引き出したりグリル庫外へ取り出す際、グリル扉は開いたままであるので、グリル扉がじゃまにならず簡単である。また、受皿を再びグリル庫へ入れる操作においても同様にグリル扉がじゃまにならず簡単で、しかも受皿をグリル庫奥へスライドさせていけば、途中で受皿の係合部が再び連結部材のアーム部を係合し、アーム部がガイド孔の傾斜した部分から受皿進退方向部分に戻り、受皿を収納しながらグリル扉が閉じていくので、使い易い。
バネにより扉開方向に付勢したタイプの従来の自動扉開閉装置では、受皿の収納位置で受皿の動きをロックする機構が設けられるが、本発明のグリル庫の扉開閉装置では、バネやロック機構なしの簡易な構成であっても、自動的にグリル扉の開閉や全開の保持ができる。
【０００６】
【発明の実施の形態】
以上説明した本発明の構成・作用を一層明らかにするために、以下本発明のグリル庫の扉開閉装置の好適な実施例について図を用いて説明する。
図１〜図５は、第１実施例としてのガスグリル３０の扉開閉装置の作動要部の概略構成図であり、図１が側面図、図２が受皿１を手前に引き出した状態の説明図、図３が受皿１を奥まで押込んだ状態の説明図、図４が正面断面図、図５が平面図である。なお、ガスグリル３０は、先に説明した従来のガスグリルとグリル庫側壁５ｂのガイド孔１３の形状及びバネ４やストッパー２０がない点のみが異なるので重複を避けるため、同一部分の構成については同一符合を付し詳しい説明は省略する。
ガスグリル３０のグリル扉２の内側には、図１，図２，図３に示すように、略Ｌ字状の連結部１２が固定され、連結部１２の一端には連結部１２の回動支点となる支軸１１が、他端には軸孔１２ａが設けられる。支軸１１は、前面開口側壁７に軸止され、軸孔１２ａには、コの字状に折り曲げられたアーム部３の両端がはめ込まれる。アーム部３の中間の直線部３ｂに対応して、スライド方向に長孔形状のガイド孔１３をグリル庫側壁５ｂの奥部に開口し、直線部３ｂを挿通する。
ガイド孔１３は、スライド方向に延びたスライド部１３ａと、先端がスライド方向から方向を変え傾斜させた傾斜部１３ｂとがつながった略Ｌ字状の長孔に形成される。受皿１の奥の背面１ａの左右両端には、２個の鋼板製の係合部４１が設けられる（図３，図５参照）。係合部４１は、案内面４１ｃと鉤４１ｂで斜め下方に開口したＵ字状の溝４１ａを形成し、案内面４１ｃ側が受皿１の背面１ａに固定される。そして、その鉤４１ｂによって受皿１を手前に引き出す時にアーム部３の直線部３ｂを引っ掛けて手前方向に引っ張り、その案内面４１ｃにより受皿１を奥に押込む時に直線部３ｂを奥方向へ押して移動させると同時に、溝４１ａ方向にもガイドする。溝４１ａは、その溝幅を直線部３ｂの直径よりわずかに大きくし、直線部３ｂは、溝４１ａにガイドされ開口部（図２参照）から溝底（図３参照）までの区間で移動する。
【０００７】
受皿１を手前に引き出していくと（図３→図２）、アーム部３の直線部３ｂが係合部４１の鉤４１ｂに引っ張られてガイド孔１３のスライド部１３ａを傾斜部１３ｂ方向へ移動を始め、グリル扉２が全閉から開き始める。そして、直線部３ｂが傾斜部１３ｂにかかるとＵ字状溝４１ａを斜め下へスライドし始める。さらに、傾斜部１３ｂを斜め下方に移動し、傾斜部１３ｂの端に収まると、それ以上の移動を制止され、グリル扉２は全開状態になる。引続き受皿１を引き出していくと、係合部４１とアーム部３の直線部３ｂの係合が外れ、受皿１のみが、直線部３ｂを傾斜部１３ｂの端に残したまま、さらに移動する。
この時、傾斜部１３ｂが受皿進退方向から傾斜しているので、グリル扉２の自重がアーム部３の直線部３ｂを奥側へ押し戻そうとする力は、ガイド孔１３の孔壁で受けられ、アーム部３が傾斜部１３ｂの端より移動してしまうことが防止されるので、グリル扉２は全開状態のまま保持され、自然に扉が閉じてしまうことがない。
この場合、こうして、受皿１をグリル庫５より引き出したりグリル庫外へ取り出すことができるので便利である。この間、グリル扉２は開いたままであるので、受皿１０を再びグリル庫５へ入れる操作もグリル扉２がじゃまにならず簡単で、受皿１をグリル庫５奥へスライドさせていけば、途中で受皿１の係合部４１が再びアーム部３の直線部３ａを係合し、直線部３ａがガイド孔１３の傾斜部１３ｂからスライド部１３ａに戻り、受皿１０を収納しながらグリル扉２が閉じていく。
一方、受皿１を奥まで押込んだ状態では、図３に示すように、アーム部３の直線部３ｂがスライド部１３ａの端に収まるとともに、受皿１は図示しない位置決めに当たりそれ以上の移動を阻止されている。この時、グリル扉２は全閉となっており、そのまま安定して保持される。
以上本発明の実施例について説明したが、本発明はこうした実施例に何等限定されるものではなく、本発明の要旨を逸脱しない範囲において、種々なる態様で実施し得ることは勿論である。例えば、ガイド孔１３には、コの字状に折曲げられたアーム部３の直線部３ｂを挿通したが、そうした形状に限らず直線部３ｂがなく左右に分離した形状でもよい。この場合、アーム部３は、先端が直角に折曲げられた左右勝手違いのアーム２本で形成され、各々の先端がそれぞれガイド孔１３に挿通されるとともに受皿１の背面１ａに当接し、アーム部３の構成が簡単になるという利点がある。
【０００８】
【発明の効果】
本発明のグリル庫の扉開閉装置は、受皿をスライドさせてグリル庫より出し入れする際、ガイド孔の傾斜部に連結部材を落とし込むことにより、グリル扉を全開の状態でそのまま保持することができるので、バネやロック機構も不用という簡易な構成で、受皿とグリル扉を連動させ開閉操作を容易にできる。
【図面の簡単な説明】
【図１】第１実施例としてのグリル庫の扉開閉装置の概略構成図（側面図）である。
【図２】第１実施例としてのグリル庫の扉開閉装置の概略構成図（扉開時）である。
【図３】第１実施例としてのグリル庫の扉開閉装置の概略構成図（扉閉時）である。
【図４】第１実施例としてのグリル庫の扉開閉装置の概略構成図（正面図）である。
【図５】第１実施例としてのグリル庫の扉開閉装置の概略構成図（平面図）である。
【図６】従来例としてのグリル庫の扉開閉装置の概略構成図（側面図）である。
【図７】従来例としてのグリル庫の扉開閉装置の概略構成図（側面図）である。
【図８】従来例としてのグリル庫の扉開閉装置の概略構成図（平面図）である。
【符号の説明】
１  受皿
１ａ  背面
２  グリル扉
３  アーム部
５  グリル庫
６  ガイドレール
７  前面開口側壁
１０  焼網
１１  支点
１２  連結部
１２ａ  軸孔
１３，３３  ガイド孔
１４  引掛片
１５  バーナ
３０  ガスグリル
４１  係合部
４１ａ  Ｕ字状溝
４１ｂ  鉤
４１ｃ  案内面
【図１】
0003632872.tif 000002
【図２】
0003632872.tif 000003
【図３】
0003632872.tif 000004
【図４】
0003632872.tif 000005
【図５】
0003632872.tif 000006
【図６】
0003632872.tif 000007
【図７】
0003632872.tif 000008
【図８】
0003632872.tif 000009